(57)【要約】【課題】  当発明の課題は、ＣＯ２の排出がゼロであることから地球温暖化の防止に貢献できることであるが、エアコンやクーラーの使用頻度を低減させるだけではなく、ノン・エアコン、ノン・クーラーとなれるためにコストを下げることである。【解決手段】  潮解性の物質を含浸させた繊維質材を壁に採用して、室内を低湿度にすることで、体感温度を下げることが出来るようになったのが当発明の解決手段である。【選択図】なし【特許請求の範囲】
【請求項１】
パーティション型のパネルの構造が枠材と間柱で作られ、潮解性薬剤が注入された木質系の板材を枠材にぴったり張り合わせ、さらに、表面板材と裏面板材の隙間には木質繊維材と潮解性薬剤を混ぜて入れたパネル構造を特徴とする空冷パネル装置。
【請求項２】
請求項１の木質系の板材が、無垢の木材、集成材、合板、パーチクルボード、単板積層材（ＬＶＬ）、中質繊維板（ＭＤＦ）、硬質繊維板（ハードボード）、軟質繊維板（インシュレーションボード）、挽材心合板（ランバーコア）、ブロックボード、配向性ボード（ＯＳＢ）、ウエハーボード（ＷＢ）、ウッド・プラスチック・コンビネーション（ＷＰＣ）、パラレル・ストランド・ランバー（ＰＳＬ）、スパーポーズド・ストランドランバー（ＳＳＴ）、ダンボール紙、圧縮紙材、強化紙、厚紙のいずれか、あるいはこれらの複数でパネル化したことを特徴とする空冷パネル装置。
【請求項３】
請求項１において、潮解性薬剤が塩化カルシウム、酸化カルシウム、臭化カルシウム、炭酸カルシウム、金属カルシウム、チタン酸カルシウム、ケイ酸カルシウム、ヨウ化カルシウム、硝酸カルシウム、亜硝酸カルシウム、チオシアン酸カルシウム、塩化マグネシウム、酸化マグネシウム、臭化マグネシウム、炭酸マグネシウム、ケイ酸マグネシウム、酢酸マグネシウム、塩素酸マグネシウム、過塩素酸マグネシウム、ヨウ化マグネシウム、硝酸マグネシウム、酸化ストロンチウム、酸化ランタン、ナトリウムフェノラート、次亜リン酸ナトリウム、硫化水素ナトリウム、硫化ナトリウム、チオ炭酸ナトリウム、チオシアン酸ナトリウム、過塩素酸ナトリウム、水酸化ナトリウム、塩化ナトリウム、臭化ナトリウム、無水硫酸ナトリウム、五酸化リン、トリエチレングリコール、ポリエチレングリコール、ジエチレングリコール、炭酸リチウム、水酸化リチウム、臭化リチウム、塩化リチウム、硼酸リチウム、弗化リチウム、酢酸リチウム、ケイ酸リチウム、次亜塩素酸リチウム、ノルマルブチルリチウム、セカンダリーブチルリチウム、塩素酸リチウム、サリチル酸リチウム、硫化リチウム、塩化ストロンチウム、水素化ストロンチウム、塩化カリウム、臭化カリウム、水酸化カリウム、ヨウ化カリウム、ギ酸カリウム、炭酸水素アンモニウム、三クエン酸アンモニウム、フッ化アンモニウム、ギ酸アンモニウム、塩化アンモニウム、塩化アンモニウムマグネシウム、プロピオン酸アンモニウム、スルファミン酸アンモニウム、チオシアン酸アンモニウム、硫化アンモニウム、リン酸水素二アンモニウム、リン酸水素アンモニウム、リン酸アンモニウム、リン酸グアニジン、スルファミン酸グアニジン、リン酸、グリセリン、尿素のいずれか、または２種以上である空冷パネル装置。
【請求項４】
請求項１において、木質系の板材がスギ、ヒノキ、アカマツ、トドマツのいずれかであり、木質系の板材に注入する潮解性薬剤が塩化カルシスムであり、パネルの表面と表面の隙間にはオガ粉と塩化カルシウムを混ぜたものを挿入してクーラー機能を持たせた空冷パネル装置。
【発明の詳細な説明】
【技術分野】
【０００１】    本発明は、強度な吸湿力を持つ潮解性薬剤を木質系の板材の中に含浸させたパーティション型パネルを部屋内に設置することにより、部屋内部の湿度を著しく低下させるため、電力や石油系エネルギー等の熱エネルギーを一切使用しない低湿度の快適な生活空間を得るクーラーとなることが可能となり、また、ＣＯ２排出量がゼロとなり、地球温暖化防止に貢献できる空冷パネル装置に関する。
【背景技術】
【０００２】    従来の空冷化の技術では、気温も相対湿度も高いときに使用するエアコンあるいはクーラーが一般的である。エアコンはフルオロカーボンの冷媒を室内で低圧低温にして蒸発させ、コンプレッサーで高圧高温にし、室外にて高圧高温で液化し、キャピラリチューブで低圧低温して、室内へと循環させ冷房運転をしている。この一環の作動でエアコンは高温の熱を屋外に排出しており、地球の温暖化を著しく助長している。エアコンあるいはクーラーは電気消費量も高く、よって、ＣＯ２の排出量も著しい。【０００３】    湿度を低下させる装置には除湿機がある。家庭用除湿機には、コンプレッサー式、つまり、いわゆる家庭用のクーラーの冷却風と放熱風が混合され、同時に出るものがある。騒音が大きく、気温が低いときは能力が落ちる。部屋の温度上昇は小さく、消費電力もやや小さい。デシカント式は、シリカゲルやゼオライト等を吸湿剤とし、ヒーターで再生する。再生時の高温・高湿の空気を室温の吸湿後の空気にて冷却し、結露させて回収する。コンプレッサー式に比較して部屋の温度上昇の程度が高く、消費電力も大きい。騒音は小さく、気温が低い冬季でも能力が落ちにくい。ハイブリッド式は、コンプレッサー式とデシカント式を組み合わせたもので、製品は少ない。
【発明の開示】
【発明が解決しようとする課題】
【０００４】    高温湿度の季節には、エアコン、クーラー及び除湿機の使用が高まる。しかし、電気や石油エネルギー及び原子力を主な熱エネルギーとしている今日では、地球温暖化の防止、及びＣＯ２排出の低減化に寄与できる開発技術が最も重要、かつ急務な課題となっている。しかも原子力発電は常に危険にさらされ、また電気は停電時、あるいは計画停電時においてエアコン、クーラー及び除湿機を完全に停止させてしまう。電気、石油エネルギーあるいは原子力を一切使用しないで、室内の湿度を常に６０％にまで下げて、過ごし易い生活が可能となる新技術の開発が第１の課題である。【０００５】    身体障害者、免疫力が弱まっている病気がちな人、高齢者、幼児などに、高温多湿の季節にエアコンやクーラーを長時間使用すると、冷房病と言われ、自律神経失調症を引き起こす。強制的に環境の変化を与えて細胞機能に支障をきたすことを避けて、湿度を低減させるだけで、自然で快適な生活が可能となれる湿度低減新技術の開発が第２の課題である。
【課題を解決するための手段】
【０００６】    空気の水蒸気量を同じ温度のもとで含み得る最大限度の水蒸気量、つまり飽和水蒸気量は温度により変化し、高温になるほど多くの水蒸気を含むため、絶対湿度が同じならば、温度が下がると相対湿度は上がる。つまり、温度を上げることにより、湿度を下げることになる。当発明では、室内温度を上げることなく、まず室内の湿度を６０％前後にまで下げて、同時に体感温度を下げることで第１の課題を解決した。【０００７】    重要なことは、室内温度を下げることが目的ではない。室内湿度を下げることにより人の体感温度を下がることが目的である。地中海性気候の夏は、地中海沿岸の南部において、昼間の気温が太陽に照らされ４０℃を超える。人々は日陰か建物の中で過ごす。昼間でも暑く感じないのは、湿度が４０％前後で、飽和水蒸気量は低いからである。つまり、４０℃前後の昼間では高温ゆえに汗をかく。飽和水蒸気量が低いため、汗はすぐに蒸発してしまう。空気中には湿度が低いため蒸発できるだけの許容が充分ある。よって、汗、つまり液体は蒸発するときに周囲から熱を奪うと同時に水分は空気中に浮遊できる。この気化熱を利用し、体感温度を下げることが当発明の原理である。【０００８】    地中海沿岸の夜は毛布を掛けないで寝ると寒いほど、気温が下がる。理由は、昼間の太陽熱を含んだ水蒸気が４０％前後と少ないこと。更に、周囲の無機物、つまり熱伝導率が低い乾いた地面や岩も、夜は日照がないため冷え始め、空気中の水蒸気までも冷やしてしまう。だから夜は冷える。月面では、地表の温度が赤道付近で昼間は摂氏１３０℃、夜間にはマイナス１７０℃にも下がる。その温度差は、ざっと３００℃である。水蒸気のない月面は規模こそ異なるが、地中海の環境と原理は共通している。【０００９】    夏場は、エアコンやクーラーの長時間使用による健康障害が絶えず、冷房病と言われている。冷房病とは冷房の効いた室内に長時間いるために、身体の体温調節機能に不具合を生じ、周りの温度に適応できなくなる自律神経失調症のことである。自律神経には交感神経と副交感神経がある。冷風に当ると、交感神経が働き血管を収縮させ発汗を抑制し、体温の下がり過ぎを抑える。暑いときには、副交換神経が働いて、血管を拡張し発汗を促して体の熱を放散させようとする。これら２つの自律神経のバランスがうまくいかない状況です。冷房病の症状は、身体の冷え・だるさ・しびれ・むくみ・肩こり・頭痛・神経痛・腹痛・食欲不振・下痢・便秘・月経異常・疲労感・イライラ・鼻炎・頻尿・不眠などであり、働く女性、乳幼児、高齢者に多く見られる。当発明では、強制的な温度の変化を一切行わず、湿度を下げることにより体感温度を下げることで第２の課題を解決した。
【発明の効果】
【００１０】    本発明のうち請求項１に係る発明においては、潮解性薬剤を木質繊維材にドブ漬け工法により十分浸透したパネルを室内に設置することにより、設置前の室内の湿度が８０％前後であった場合、設置後は６０％前後にまで下げることができる。【００１１】    本発明のうち請求項１に係る発明においては、体感温度は、実際の温度よりも１０℃も低く感じることができる。
【発明の実施するための最良の形態】
【００１２】    部屋の壁に、あるいはボックス型ルームの壁に使用する繊維質材には、無垢の木材が相応しい。これらの壁には潮解性の物質を十分含浸させる必要がある。含浸量は３００ｋｇ／立米以上が最良である。含浸方法は、ドブ漬け（Ｄｉｐｐｉｎｇ）方式で含浸させて、この繊維質材を部屋の壁に、あるいはボックスの壁に使用することで、６０％前後の生活や就寝に快適な低湿度を可能にする。
【００１３】    木質系の板材は、無垢の木材、集成材、合板、パーチクルボード、単板積層材（ＬＶＬ）、中質繊維板（ＭＤＦ）、硬質繊維板（ハードボード）、軟質繊維板（インシュレーションボード）、挽材心合板（ランバーコア）、ブロックボード、配向性ボード（ＯＳＢ）、ウエハーボード（ＷＢ）、ウッド・プラスチック・コンビネーション（ＷＰＣ）、パラレル・ストランド・ランバー（ＰＳＬ）、スパーポーズド・ストランドランバー（ＳＳＴ）、ダンボール紙、圧縮紙材、強化紙、厚紙のいずれか、あるいはこれらの複数であれば良いが、身体障害者、免疫力が弱まっている病気がちな人、高齢者、幼児などが就寝する環境を考慮すると、木質系の板材の中でも、石油系の塗料や接着剤を一切使用していない無垢の木材が最適である。
【００１４】    部屋の内部にボックス型として設置する場合は、天井、壁、床及び開閉扉の全て、あるいは一部をパネル化にすることにより、組み立て、解体、撤去を簡素化し、移動、保管、運搬を容易にすることが望ましい。
【００１５】    潮解性の薬剤は、塩化カルシウム、酸化カルシウム、臭化カルシウム、炭酸カルシウム、金属カルシウム、チタン酸カルシウム、ケイ酸カルシウム、ヨウ化カルシウム、硝酸カルシウム、亜硝酸カルシウム、チオシアン酸カルシウム、塩化マグネシウム、酸化マグネシウム、臭化マグネシウム、炭酸マグネシウム、ケイ酸マグネシウム、酢酸マグネシウム、塩素酸マグネシウム、過塩素酸マグネシウム、ヨウ化マグネシウム、硝酸マグネシウム、酸化ストロンチウム、酸化ランタン、ナトリウムフェノラート、次亜リン酸ナトリウム、硫化水素ナトリウム、硫化ナトリウム、チオ炭酸ナトリウム、チオシアン酸ナトリウム、過塩素酸ナトリウム、水酸化ナトリウム、塩化ナトリウム、臭化ナトリウム、無水硫酸ナトリウム、五酸化リン、トリエチレングリコール、ポリエチレングリコール、ジエチレングリコール、炭酸リチウム、水酸化リチウム、臭化リチウム、塩化リチウム、硼酸リチウム、弗化リチウム、酢酸リチウム、ケイ酸リチウム、次亜塩素酸リチウム、ノルマルブチルリチウム、セカンダリーブチルリチウム、塩素酸リチウム、サリチル酸リチウム、硫化リチウム、塩化ストロンチウム、水素化ストロンチウム、塩化カリウム、臭化カリウム、水酸化カリウム、ヨウ化カリウム、ギ酸カリウム、炭酸水素アンモニウム、三クエン酸アンモニウム、フッ化アンモニウム、ギ酸アンモニウム、塩化アンモニウム、塩化アンモニウムマグネシウム、プロピオン酸アンモニウム、スルファミン酸アンモニウム、チオシアン酸アンモニウム、硫化アンモニウム、リン酸水素二アンモニウム、リン酸水素アンモニウム、リン酸アンモニウム、リン酸グアニジン、スルファミン酸グアニジン、リン酸、グリセリン、尿素のいずれか、または２種以上である空冷パネル装置。
【００１６】    壁に使用する繊維質材に、重量比で、４０％〜８０％の水に２０％〜６０％の塩化カルシウムを溶解した塩化カリシウム水溶液を、ドブ漬け（Ｄｉｐｐｉｎｇ）方式で含浸させて、この繊維質材を部屋の壁に、あるいはボックスの壁に使用することで、４０％〜６０％の生活や就寝に快適な低湿度を可能にする。また、壁に吸湿された部屋内部の水は、下に流れてくるため、壁材の下部には水を受ける装置を設置する必要がある。
【実施例】
【００１７】
【表１】
2012232283.tif 000002
【００１８】
【表２】
2012232283.tif 000003
【産業上の利用可能性】
【００１９】    日本は梅雨の季節から夏の期間、高温多湿でエアコンやクーラーを欠かせない。しかも地球規模の温暖化現象で、気温は毎年少しずつ上昇している。東京都では、緑が極端に少ないこともあり、交通量も減らないことから、地面や建造物が灼熱化して、しかもエアコンやクーラーから排出される熱風が温度を更に高め、高湿であることから就寝時間も温度が下がらない熱帯夜となっている。エアコンやクーラーの使用がほぼ一日中となり、多くの人は健康障害に苦しみ、身体障害者、高齢者、幼児などは危険状態に達していると言っても過言ではない。【００２０】    もし、当発明のクールルームが広く普及されたならば、就寝時間だけでもエアコンやクーラーの使用を避けられ、石油エネルギーを使用しないことと、熱やＣＯ２を排出しないことから、地球温暖化の防止や石油エネルギーの節約に貢献することが多いと思われる。【００２１】    当発明のクールルームには、スギの間伐材を使用することが望ましいことは先に述べた。当クールルームの寿命は、木材を使用するならば、破壊されない限り、少なくとも５０年間は十分にある。つまり、木が持つ炭素、つまりＣＯ２の固定が５０年は成されることを意味する。これはＣＯ２の排出とは正反対のＣＯ２固定となるが故に地球環境に多くの貢献をすることになる。また間伐材を使用することで、ほとんど利用されていない日本のスギ間伐材の高付加価値化となり、森林の保全の為にも、多く、使用されることが望ましい。